【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
無線通信ネットワークにおいて移動局に割り当てることができるリソースのセットの中から、無線通信ネットワークのどのリソースが移動局に割り当てられるかを該移動局が識別できるようにする情報を特定するための方法であって、前記リソースは周波数領域のサブキャリアまたはリソースブロックであり、前記割り当てられるリソースは、１つ又は複数の連続するリソースの複数の連続しないクラスタに分割され、該方法は基地局によって実行されるステップであって、
−  前記移動局にリソースを割り当てるステップであって、該割り当てられるリソースは、前記リソースのセットをリソースのサブセットに分割する、割り当てるステップと、
−  前記割り当てられたリソースをもとに、複数の順序付きパラメータを求めるステップであって、各パラメータは、該パラメータに対応する少なくとも１つのリソースのサブセット内の連続するリソースの数を表し、前記少なくとも１つのリソースは、前記移動局に割り当てられないか、又は前記移動局に割り当てられる１つ又は複数の連続するリソースのクラスタを形成する、求めるステップと、
−  第１のパラメータについて、取り得るリソース割当ての集まりの中で、該第１のパラメータに対応するサブセットが該第１のパラメータよりも少ない数のリソースを有するリソース割当て、に対応する取り得る組合せの数を計算するステップと、
−  後続の各パラメータについて、前記取り得るリソース割当ての集まりの中で、該後続のパラメータよりも低いランクを有するパラメータに対応する各サブセットが、対応する低いランクを有するパラメータに等しい数のリソースを有し、かつ該後続のパラメータに対応するサブセットが、該後続のパラメータよりも少ない数のリソースを有するリソース割当て、に対応する取り得る組合せの数を計算するステップと、
−  無線通信ネットワークのどのリソースが移動局に割り当てられるかを該移動局が識別できるようにする情報を特定するステップであって、該情報は、前記計算された全ての数の合計、無線通信ネットワークにおいて前記移動局に割り当てることができるリソースの数、及びクラスタの数、に依存する、特定するステップと
を含むことを特徴とする、無線通信ネットワークにおいて移動局に割り当てることができるリソースのセットの中から、無線通信ネットワークのどのリソースが移動局に割り当てられるかを該移動局が識別できるようにする情報を特定するための方法。
【請求項２】
１つ又は複数の連続するリソースの少なくとも２つの連続しないクラスタが前記移動局に割り当てられ、
１つ又は複数の連続するリソースの各クラスタは、他の割り当てられる１つ又は複数の連続するリソースの単数又は複数のクラスタ内に含まれるリソースの数とは無関係な数のリソースを含み、
１つ又は複数の連続するリソースの２つのクラスタを隔てるリソースの数は、１つ又は複数の連続するリソースの２つのクラスタを隔てることができる任意の他のリソースとは無関係であるか、又は、他の割り当てられる１つ又は複数の連続するリソースのクラスタ内に含めることができることを特徴とする、請求項１に記載の方法。
【請求項３】
１つ又は複数の連続するリソースの少なくとも３つの連続しないクラスタが前記移動局に割り当てられ、
１つ又は複数の連続するリソースの各クラスタは、２つのクラスタを隔てることができる任意の他のリソースとは無関係な同じ数のリソースを含むことを特徴とする、請求項１
に記載の方法。
【請求項４】
前記第１のパラメータは、１つ又は複数の連続するリソースの各クラスタ内に含まれる
リソースの数であることを特徴とする、請求項３に記載の方法。
【請求項５】
１つ又は複数の連続するリソースの少なくとも３つの連続しないクラスタが前記移動局に割り当てられ、
１つ又は複数の連続するリソースの各クラスタは、他の割り当てられる１つ又は複数の連続するリソースのクラスタ内に含まれるリソースの数とは無関係な数のリソースを含み、
２つのクラスタを隔てるリソースの数は同一であることを特徴とする、請求項１に記載の方法。
【請求項６】
前記第１のパラメータは、１つ又は複数の連続するリソースの２つのクラスタを隔てるリソースの数であることを特徴とする、請求項５に記載の方法。
【請求項７】
１つ又は複数の連続するリソースのクラスタの数は、予め定められていることを特徴とする、請求項１〜６のいずれか一項に記載の方法。
【請求項８】
前記方法は、
−  少なくとも所定の数のクラスタを有し、かつ現在のクラスタ数未満のクラスタを有する全ての取り得るリソース割当ての数を計算するステップと、
−  少なくとも所定の数のクラスタを有し、かつ現在のクラスタ数未満のクラスタを有する全ての取り得るリソース割当ての数を、前記無線通信ネットワークのどのリソースが移動局に割り当てられるかを該移動局が識別できるようにする情報に加えることによって、前記情報を変更するステップとを更に含むことを特徴とする、請求項１〜６のいずれか一項に記載の方法。
【請求項９】
無線通信ネットワークにおいて移動局に割り当てることができるリソースのセットの中から、無線通信ネットワークのどのリソースが移動局に割り当てられるかを識別するための方法であって、前記リソースは周波数領域のサブキャリアまたはリソースブロックであり、前記割り当てられるリソースは、１つ又は複数の連続するリソースの複数の連続しないクラスタに分割され、該方法は、前記移動局によって実行されるステップであって、
−  前記無線通信ネットワークのどのリソースが前記移動局に割り当てられるかを前記移動局が識別できるようにする情報を受信するステップであって、該情報は無線通信ネットワークにおいて前記移動局に割り当てることができるリソースの数及びクラスタの数に依存する、受信するステップと、
−  第１のパラメータに対応する少なくとも１つのリソースのサブセットであって、第１のリソース数未満のリソースを含むサブセットを有するリソース割当て、に対応する取り得る組合せの数を求めるステップと、
−  前記第１のパラメータに対応する少なくとも１つのリソースのサブセットであって、前記第１のリソース数＋１未満のリソースを含むサブセットを有するリソース割当て、に対応する取り得る組合せの数を求めるステップと、
−  前記第１のパラメータに対応する少なくとも１つのリソースのサブセットであって、前記第１のリソース数未満のリソースを含むサブセットを有するリソース割当て、に対応する取り得る組合せの数が前記受信された情報以下であり、かつ前記第１のパラメータに対応する少なくとも１つのリソースのサブセットであって、前記第１のリソース数＋１未満のリソースを含むサブセットを有するリソース割当て、に対応する取り得る組合せの数が前記受信された情報よりも大きい場合には、第１のパラメータとして前記第１のリソース数を選択するステップと、
−  前記第１のパラメータに対応する少なくとも１つのリソースのサブセットであって、前記第１のパラメータよりも少ない数のリソースを含むサブセットを有するリソース割当て、に対応する取り得る組合せの数を、前記無線通信ネットワークのどのリソースが前記移動局に割り当てられるかを前記移動局が識別できるようにする情報から減算することによって、前記無線通信ネットワークのどのリソースが前記移動局に割り当てられるかを前記移動局が識別できるようにする情報を変更するステップと、
全てのパラメータが求められない限り、
−  後続のパラメータについて、取り得るリソース割当てのセットの中で、
−  前記後続のパラメータよりも低いランクを有するパラメータに対応する少なくとも１つのリソースの各サブセットについて、各サブセットは対応するパラメータに等しい数のリソースを含み、かつ前記後続のパラメータに対応する少なくとも１つのリソースのサブセットについて、所与の値よりも少ない数のリソースを含むリソース割当て、に対応する第1の取り得る組合せの数を求めるステップと、
−  前記後続のパラメータよりも低いランクを有するパラメータに対応する少なくとも１つのリソースの各サブセットについて、各サブセットは対応するパラメータに等しい数のリソースを含み、かつ前記後続のパラメータに対応する少なくとも１つのリソースのサブセットについて、所与の値＋１よりも少ない数のリソースを含むリソース割当て、に対応する第２の取り得る組合せの数を求めるステップと、
−  前記第１の取り得る組合せの数が前記変更された情報以下であり、かつ前記第２の取り得る組合せの数が前記変更された情報よりも大きい場合には、前記所与の値を前記後続のパラメータとして選択するステップと、
−  前記変更された情報から前記第１の取り得る組合せの数を減算することによって、前記変更された情報を更新するステップと、
−  全てのパラメータが求められると、該パラメータに従って、前記無線通信ネットワークにおいて前記移動局に割り当てることができる前記リソースのセットの中から、前記無線通信ネットワークのどのリソースが前記移動局に割り当てられるかを識別するステップと
を含むことを特徴とする、無線通信ネットワークにおいて移動局に割り当てることができるリソースのセットの中から、無線通信ネットワークのどのリソースが該移動局に割り当てられるかを識別するための方法。
【請求項１０】
割り当てられるクラスタの数は、前記移動局によって、
−  少なくとも所定の最小のクラスタ数及び所与のクラスタ数未満を用いて、リソース割当ての数を求めるステップと、
−  少なくとも前記所定の最小のクラスタ数及び前記所与のクラスタ数＋１未満を用いて、リソース割当ての数を求めるステップと、
−  少なくとも前記所定の最小のクラスタ数及び前記所与のクラスタ数未満を用いる前記リソース割当ての数が前記受信された情報以下であり、かつ少なくとも前記所定の最小のクラスタ数及び前記所与のクラスタ数＋１未満を用いる前記リソース割当ての数が前記受信された情報よりも大きい場合には、前記所与の数を前記クラスタの数として選択するステップと、
−  前記受信された情報から、少なくとも前記所定の最小のクラスタ数及び前記所与のクラスタ数未満を用いる前記リソース割当ての数の値を減算することによって、前記受信された情報を変更するステップとを実行することによって求められることを特徴とする、請求項９に記載の方法。
【請求項１１】
無線通信ネットワークにおいて移動局に割り当てることができるリソースのセットの中から、無線通信ネットワークのどのリソースが移動局に割り当てられるかを該移動局が識別できるようにする情報を特定するためのデバイスであって、前記リソースは周波数領域のサブキャリアまたはリソースブロックであり、前記割り当てられるリソースは、１つ又は複数の連続するリソースの複数の連続しないクラスタに分割され、該情報を特定するためのデバイスは基地局に含まれ、
−  前記移動局にリソースを割り当てる手段であって、該割り当てられるリソースは、前記リソースのセットをリソースのサブセットに分割する、割り当てる手段と、
−  前記割り当てられたリソースをもとに、複数の順序付きパラメータを求める手段であって、各パラメータは、該パラメータに対応する少なくとも１つのリソースのサブセット内の連続するリソースの数を表し、前記少なくとも１つのリソースは、前記移動局に割り当てられないか、又は前記移動局に割り当てられる１つ又は複数の連続するリソースのクラスタを形成する、求める手段と、
−  第１のパラメータについて、取り得るリソース割当ての集まりの中で、該第１のパラメータに対応するサブセットが該第１のパラメータよりも少ない数のリソースを有するリソース割当て、に対応する取り得る組合せの数を計算する手段と、
−  後続の各パラメータについて、前記取り得るリソース割当ての集まりの中で、該後続のパラメータよりも低いランクを有するパラメータに対応する各サブセットが、対応するパラメータに等しい数のリソースを有し、かつ該後続のパラメータに対応するサブセットが、該後続のパラメータよりも少ない数のリソースを有するリソース割当て、に対応する取り得る組合せの数を計算する手段と、
−  無線通信ネットワークのどのリソースが移動局に割り当てられるかを該移動局が識別できるようにする情報を特定する手段であって、該情報は、前記計算された全ての数の合計、無線通信ネットワークにおいて前記移動局に割り当てることができるリソースの数、及びクラスタの数、に依存する、特定する手段と
を備えることを特徴とする、無線通信ネットワークにおいて移動局に割り当てることができるリソースのセットの中から、無線通信ネットワークのどのリソースが移動局に割り当てられるかを該移動局が識別できるようにする情報を特定するためのデバイス。
【請求項１２】
無線通信ネットワークにおいて移動局に割り当てることができるリソースのセットの中から、無線通信ネットワークのどのリソースが移動局に割り当てられるかを識別するためのデバイスであって、前記リソースは周波数領域のサブキャリアまたはリソースブロックであり、前記割り当てられるリソースは、１つ又は複数の連続するリソースの複数の連続しないクラスタに分割され、該識別するためのデバイスは、前記移動局内に含まれ、
−  前記無線通信ネットワークのどのリソースが前記移動局に割り当てられるかを前記移動局が識別できるようにする情報を受信する手段であって、該情報は無線通信ネットワークにおいて前記移動局に割り当てることができるリソースの数及びクラスタの数に依存する、受信する手段と、
−  第１のパラメータに対応する少なくとも１つのリソースのサブセットであって、第１のリソース数未満のリソースを含むサブセットを有するリソース割当て、に対応する取り得る組合せの数を求める手段と、 
−  前記第１のパラメータに対応する少なくとも１つのリソースのサブセットであって、前記第１のリソース数＋１未満のリソースを含むサブセットを有するリソース割当て、に対応する取り得る組合せの数を求める手段と、
−  前記第１のパラメータに対応する少なくとも１つのリソースのサブセットであって、前記第１のリソース数未満のリソースを含むサブセットを有するリソース割当て、に対応する取り得る組合せの数が前記受信された情報以下であり、かつ前記第１のパラメータに対応する少なくとも１つのリソースのサブセットであって、前記第１のリソース数＋１未満のリソースを含むサブセットを有するリソース割当て、に対応する取り得る組合せの数が前記受信された情報よりも大きい場合には、第１のパラメータとして前記第１のリソース数を選択する手段と、
−  前記第１のパラメータに対応する少なくとも１つのリソースのサブセットであって、前記第１のパラメータよりも少ない数のリソースを含むサブセットを有するリソース割当て、に対応する取り得る組合せの数を、前記無線通信ネットワークのどのリソースが前記移動局に割り当てられるかを前記移動局が識別できるようにする情報から減算することによって、前記無線通信ネットワークのどのリソースが前記移動局に割り当てられるかを前記移動局が識別できるようにする情報を変更する手段と、
−  全てのパラメータが求められない限り、後続のパラメータについて、取り得るリソース割当てのセットの中で、
−  前記後続のパラメータよりも低いランクを有するパラメータに対応する少なくとも１つのリソースの各サブセットについて、各サブセットは対応するパラメータに等しい数のリソースを含み、かつ前記後続のパラメータに対応する少なくとも１つのリソースのサブセットについて、所与の値よりも少ない数のリソースを含むリソース割当て、に対応する第1の取り得る組合せの数を求める手段と、
−  前記後続のパラメータよりも低いランクを有するパラメータに対応する少なくとも１つのリソースの各サブセットについて、各サブセットは対応するパラメータに等しい数のリソースを含み、かつ前記後続のパラメータに対応する少なくとも１つのリソースのサブセットについて、所与の値＋１よりも少ない数のリソースを含むリソース割当て、に対応する第２の取り得る組合せの数を求める手段と、
−  全てのパラメータが求められない限り、前記後続のパラメータについて、前記第１の取り得る組合せの数が前記変更された情報以下であり、かつ前記第２の取り得る組合せの数が前記変更された情報よりも大きい場合には、前記所与の値を後続のパラメータとして選択する手段と、
−  全てのパラメータが求められない限り、前記変更された情報から前記第１の取り得る組合せの数を減算することによって、前記変更された情報を更新する手段と、
−  全てのパラメータが求められると、該パラメータに従って、前記無線通信ネットワークにおいて前記移動局に割り当てることができる前記リソースのセットの中から、前記無線通信ネットワークのどのリソースが前記移動局に割り当てられるかを識別する手段と
を含むことを特徴とする、無線通信ネットワークにおいて移動局に割り当てることができるリソースのセットの中から、無線通信ネットワークのどのリソースが移動局に割り当てられるかを識別するためのデバイス。
【請求項１３】
プログラマブルデバイスに直接ロード可能なコンピュータープログラムであって、該コンピュータープログラムがプログラマブルデバイス上で実行される際に請求項１〜８に記載の方法のステップを実施するための命令又はコードの一部を含む、コンピュータープログラム。
【請求項１４】
プログラマブルデバイスに直接ロード可能なコンピュータープログラムであって、該コンピュータープログラムがプログラマブルデバイス上で実行される際に請求項９又は１０に記載の方法のステップを実施するための命令又はコードの一部を含む、コンピュータープログラム。
【手続補正２】
【補正対象書類名】明細書
【補正対象項目名】０００９
【補正方法】変更
【補正の内容】
【０００９】
そのために、本発明は、無線通信ネットワークにおいて移動局に割り当てることができるリソースのセットの中から、無線通信ネットワークのどのリソースが移動局に割り当てられるかを移動局が識別できるようにする情報を特定するための方法に関する。リソースは周波数領域のサブキャリアまたはリソースブロックであり、割り当てられるリソースは、１つ又は複数の連続するリソースの複数の連続しないクラスタに分割され、当該方法は基地局によって実行されるステップであって、
−  移動局にリソースを割り当てるステップであって、割り当てられるリソースは、リソースのセットをリソースのサブセットに分割する、割り当てるステップと、
−  割り当てられたリソースをもとに、複数の順序付きパラメータを求めるステップであって、各パラメータは、当該パラメータに対応する少なくとも１つのリソースのサブセット内の連続するリソースの数を表し、少なくとも１つのリソースは、移動局に割り当てられないか、又は移動局に割り当てられる１つ又は複数の連続するリソースのクラスタを形成する、求めるステップと、
−  第１のパラメータについて、取り得るリソース割当ての集まりの中で、第１のパラメータに対応するサブセットが第１のパラメータよりも少ない数のリソースを有するリソース割当て、に対応する取り得る組合せの数を計算するステップと、
−  後続の各パラメータについて、取り得るリソース割当ての集まりの中で、後続のパラメータよりも低いランクを有するパラメータに対応する各サブセットが、対応する低いランクを有するパラメータに等しい数のリソースを有し、かつ後続のパラメータに対応するサブセットが、後続のパラメータよりも少ない数のリソースを有するリソース割当て、に対応する取り得る組合せの数を計算するステップと、
−  無線通信ネットワークのどのリソースが移動局に割り当てられるかを移動局が識別できるようにする情報を特定するステップであって、当該情報は、計算された全ての数の合計、無線通信ネットワークにおいて移動局に割り当てることができるリソースの数、及びクラスタの数、に依存する、特定するステップと
を含むことを特徴とする。
【手続補正３】
【補正対象書類名】明細書
【補正対象項目名】００１０
【補正方法】変更
【補正の内容】
【００１０】
また、本発明は、無線通信ネットワークにおいて移動局に割り当てることができるリソースのセットの中から、無線通信ネットワークのどのリソースが移動局に割り当てられるかを移動局が識別できるようにする情報を特定するためのデバイスにも関する。リソースは周波数領域のサブキャリアまたはリソースブロックであり、割り当てられるリソースは、１つ又は複数の連続するリソースの複数の連続しないクラスタに分割され、当該情報を特定するためのデバイスは基地局に含まれ、
−  移動局にリソースを割り当てる手段であって、割り当てられるリソースは、リソースのセットをリソースのサブセットに分割する、割り当てる手段と、
−  割り当てられたリソースをもとに、複数の順序付きパラメータを求める手段であって、各パラメータは、当該パラメータに対応する少なくとも１つのリソースのサブセット内の連続するリソースの数を表し、少なくとも１つのリソースは、移動局に割り当てられないか、又は移動局に割り当てられる１つ又は複数の連続するリソースのクラスタを形成する、求める手段と、
−  第１のパラメータについて、取り得るリソース割当ての集まりの中で、第１のパラメータに対応するサブセットが第１のパラメータよりも少ない数のリソースを有するリソース割当て、に対応する取り得る組合せの数を計算する手段と、
−  後続の各パラメータについて、取り得るリソース割当ての集まりの中で、当該後続のパラメータよりも低いランクを有するパラメータに対応する各サブセットが、対応するパラメータに等しい数のリソースを有し、かつ当該後続のパラメータに対応するサブセットが、当該後続のパラメータよりも少ない数のリソースを有するリソース割当て、に対応する取り得る組合せの数を計算する手段と、
−  無線通信ネットワークのどのリソースが移動局に割り当てられるかを移動局が識別できるようにする情報を特定する手段であって、当該情報は、計算された全ての数の合計、無線通信ネットワークにおいて移動局に割り当てることができるリソースの数、及びクラスタの数、に依存する、特定する手段と
を備えることを特徴とする。
【手続補正４】
【補正対象書類名】明細書
【補正対象項目名】００２５
【補正方法】変更
【補正の内容】
【００２５】
更に別の態様によれば、本発明は、無線通信ネットワークにおいて移動局に割り当てることができるリソースのセットの中から、無線通信ネットワークのどのリソースが移動局に割り当てられるかを識別するための方法に関する。リソースは周波数領域のサブキャリアまたはリソースブロックであり、割り当てられるリソースは、１つ又は複数の連続するリソースの複数の連続しないクラスタに分割され、当該方法は、移動局によって実行されるステップであって、
−  無線通信ネットワークのどのリソースが移動局に割り当てられるかを移動局が識別できるようにする情報を受信するステップであって、当該情報は無線通信ネットワークにおいて移動局に割り当てることができるリソースの数及びクラスタの数に依存する、受信するステップと、
−  第１のパラメータに対応する少なくとも１つのリソースのサブセットであって、第１のリソース数未満のリソースを含むサブセットを有するリソース割当て、に対応する取り得る組合せの数を求めるステップと、
−  第１のパラメータに対応する少なくとも１つのリソースのサブセットであって、第１のリソース数＋１未満のリソースを含むサブセットを有するリソース割当て、に対応する取り得る組合せの数を求めるステップと、
−  第１のパラメータに対応する少なくとも１つのリソースのサブセットであって、第１のリソース数未満のリソースを含むサブセットを有するリソース割当て、に対応する取り得る組合せの数が受信された情報以下であり、かつ第１のパラメータに対応する少なくとも１つのリソースのサブセットであって、第１のリソース数＋１未満のリソースを含むサブセットを有するリソース割当て、に対応する取り得る組合せの数が受信された情報よりも大きい場合には、第１のパラメータとして第１のリソース数を選択するステップと、
−  第１のパラメータに対応する少なくとも１つのリソースのサブセットであって、第１のパラメータよりも少ない数のリソースを含むサブセットを有するリソース割当て、に対応する取り得る組合せの数を、無線通信ネットワークのどのリソースが移動局に割り当てられるかを移動局が識別できるようにする情報から減算することによって、無線通信ネットワークのどのリソースが移動局に割り当てられるかを移動局が識別できるようにする情報を変更するステップと、
全てのパラメータが求められない限り、
−  後続のパラメータについて、取り得るリソース割当てのセットの中で、
−  後続のパラメータよりも低いランクを有するパラメータに対応する少なくとも１つのリソースの各サブセットについて、各サブセットは対応するパラメータに等しい数のリソースを含み、かつ後続のパラメータに対応する少なくとも１つのリソースのサブセットについて、所与の値よりも少ない数のリソースを含むリソース割当て、に対応する第1の取り得る組合せの数を求めるステップと、
−  後続のパラメータよりも低いランクを有するパラメータに対応する少なくとも１つのリソースの各サブセットについて、各サブセットは対応するパラメータに等しい数のリソースを含み、かつ前記後続のパラメータに対応する少なくとも１つのリソースのサブセットについて、所与の値＋１よりも少ない数のリソースを含むリソース割当て、に対応する第２の取り得る組合せの数を求めるステップと、
−  第１の取り得る組合せの数が変更された情報以下であり、かつ第２の取り得る組合せの数が変更された情報よりも大きい場合には、所与の値を後続のパラメータとして選択するステップと、
−  変更された情報から第１の取り得る組合せの数を減算することによって、変更された情報を更新するステップと、
−  全てのパラメータが求められると、パラメータに従って、無線通信ネットワークにおいて移動局に割り当てることができるリソースのセットの中から、無線通信ネットワークのどのリソースが移動局に割り当てられるかを識別するステップと
を含むことを特徴とする。
【手続補正５】
【補正対象書類名】明細書
【補正対象項目名】００２６
【補正方法】変更
【補正の内容】
【００２６】
また、本発明は、無線通信ネットワークにおいて移動局に割り当てることができるリソースのセットの中から、無線通信ネットワークのどのリソースが移動局に割り当てられるかを識別するためのデバイスにも関する。リソースは周波数領域のサブキャリアまたはリソースブロックであり、割り当てられるリソースは、１つ又は複数の連続するリソースの複数の連続しないクラスタに分割され、識別するためのデバイスは、移動局内に含まれ、
−  無線通信ネットワークのどのリソースが移動局に割り当てられるかを移動局が識別できるようにする情報を受信する手段であって、当該情報は無線通信ネットワークにおいて移動局に割り当てることができるリソースの数及びクラスタの数に依存する、受信する手段と、
−  第１のパラメータに対応する少なくとも１つのリソースのサブセットであって、第１のリソース数未満のリソースを含むサブセットを有するリソース割当て、に対応する取り得る組合せの数を求める手段と、 
−  第１のパラメータに対応する少なくとも１つのリソースのサブセットであって、第１のリソース数＋１未満のリソースを含むサブセットを有するリソース割当て、に対応する取り得る組合せの数を求める手段と、
−  第１のパラメータに対応する少なくとも１つのリソースのサブセットであって、第１のリソース数未満のリソースを含むサブセットを有するリソース割当て、に対応する取り得る組合せの数が受信された情報以下であり、かつ第１のパラメータに対応する少なくとも１つのリソースのサブセットであって、第１のリソース数＋１未満のリソースを含むサブセットを有するリソース割当て、に対応する取り得る組合せの数が受信された情報よりも大きい場合には、第１のパラメータとして第１のリソース数を選択する手段と、
−  第１のパラメータに対応する少なくとも１つのリソースのサブセットであって、第１のパラメータよりも少ない数のリソースを含むサブセットを有するリソース割当て、に対応する取り得る組合せの数を、無線通信ネットワークのどのリソースが移動局に割り当てられるかを移動局が識別できるようにする情報から減算することによって、無線通信ネットワークのどのリソースが移動局に割り当てられるかを移動局が識別できるようにする情報を変更する手段と、
−  全てのパラメータが求められない限り、後続のパラメータについて、取り得るリソース割当てのセットの中で、
−  後続のパラメータよりも低いランクを有するパラメータに対応する少なくとも１つのリソースの各サブセットについて、各サブセットは対応するパラメータに等しい数のリソースを含み、かつ後続のパラメータに対応する少なくとも１つのリソースのサブセットについて、所与の値よりも少ない数のリソースを含むリソース割当て、に対応する第1の取り得る組合せの数を求める手段と、
−  後続のパラメータよりも低いランクを有するパラメータに対応する少なくとも１つのリソースの各サブセットについて、各サブセットは対応するパラメータに等しい数のリソースを含み、かつ後続のパラメータに対応する少なくとも１つのリソースのサブセットについて、所与の値＋１よりも少ない数のリソースを含むリソース割当て、に対応する第２の取り得る組合せの数を求める手段と、
−  全てのパラメータが求められない限り、後続のパラメータについて、第１の取り得る組合せの数が変更された情報以下であり、かつ第２の取り得る組合せの数が変更された情報よりも大きい場合には、所与の値を後続のパラメータとして選択する手段と、
−  全てのパラメータが求められない限り、変更された情報から第１の取り得る組合せの数を減算することによって、変更された情報を更新する手段と、
−  全てのパラメータが求められると、パラメータに従って、無線通信ネットワークにおいて移動局に割り当てることができるリソースのセットの中から、無線通信ネットワークのどのリソースが移動局に割り当てられるかを識別する手段と
を含むことを特徴とする。